(57)【要約】【課題】養育者をサポートして被養育者の睡眠を効果的に改善することができる睡眠改善システムを提供する。【解決手段】第一端末装置２００は、養育者及び被養育者の両方の第一生活情報の入力を受ける入力部２１０と、第一生活情報をサーバ装置１００に送信する送信部２２０と、サーバ装置１００から、被養育者の睡眠を改善するための選択可能な二以上の改善項目を受信する受信部２３０と、選択可能な二以上の改善項目を表示する表示部２４０と、を備える。サーバ装置１００は、睡眠を改善するための複数の改善項目を記憶している記憶部１２０と、第一端末装置２００から第一生活情報を受信する受信部１１０と、受信された第一生活情報に基づいて、記憶部１２０に記憶された複数の改善項目の中から選択可能な二以上の改善項目を選択する制御部１３０と、選択可能な二以上の改善項目を第一端末装置２００に送信する送信部１４０と、を備える。【選択図】図２
2019079082.tif 000002
【特許請求の範囲】
【請求項１】
養育者に養育される被養育者の睡眠を改善する睡眠改善システムであって、
第一端末装置と、
前記第一端末装置と通信可能に接続されたサーバ装置と、を備え、
前記第一端末装置は、
前記養育者及び前記被養育者の両方の第一生活情報の入力を受ける入力部と、
前記第一生活情報を前記サーバ装置に送信する送信部と、
前記サーバ装置から、前記被養育者の睡眠を改善するための選択可能な二以上の改善項目を受信する受信部と、
前記選択可能な二以上の改善項目を表示する表示部と、を備え、
前記サーバ装置は、
睡眠を改善するための複数の改善項目を記憶している記憶部と、
前記第一端末装置から前記第一生活情報を受信する受信部と、
受信された前記第一生活情報に基づいて、前記記憶部に記憶された前記複数の改善項目の中から前記選択可能な二以上の改善項目を選択する制御部と、
前記選択可能な二以上の改善項目を前記第一端末装置に送信する送信部と、を備える、
睡眠改善システム。
【請求項２】
前記睡眠改善システムは、さらに、
前記サーバ装置と通信可能に接続された第二端末装置を備え、
前記サーバ装置の前記送信部は、さらに、前記第一生活情報及び前記複数の改善項目を前記第二端末装置に送信し、
前記第二端末装置は、
前記サーバ装置から、前記第一生活情報及び前記複数の改善項目を受信する受信部と、
受信された前記第一生活情報及び前記複数の改善項目を表示する表示部と、
表示された前記第一生活情報に基づいて、表示された前記複数の改善項目の中から前記選択可能な二以上の改善項目の選択の入力を受ける入力部と、
前記選択可能な二以上の改善項目を前記サーバ装置に送信する送信部と、を備え、
前記サーバ装置の前記受信部は、前記第二端末装置から前記選択可能な二以上の改善項目を受信し、
前記サーバ装置の前記制御部は、受信された前記選択可能な二以上の改善項目に基づいて、前記選択可能な二以上の改善項目を選択する、
請求項１に記載の睡眠改善システム。
【請求項３】
前記第一端末装置は、さらに、前記養育者による前記入力部への入力に基づいて、表示された前記選択可能な二以上の改善項目の中から、前記養育者が実行する予定の一以上の改善項目を選択する制御部を備える、
請求項１又は２に記載の睡眠改善システム。
【請求項４】
前記第一生活情報は、第一の日から予め定められた日数分の情報であり、
前記第一端末装置の前記入力部は、さらに、第二の日から前記予め定められた日数分の第二生活情報の入力を受け、
前記第一端末装置の前記送信部は、前記第二生活情報を前記サーバ装置に送信し、
前記第一の日から前記第二の日までの間隔の長さは、予め定められた長さである、
請求項１〜３のいずれか１項に記載の睡眠改善システム。
【請求項５】
前記第一生活情報は、前記養育者及び前記被養育者の身体的な情報及び心理的な情報の少なくとも一方を含む、
請求項１〜４のいずれか１項に記載の睡眠改善システム。
【請求項６】
前記第一生活情報は、前記養育者及び前記被養育者の前記身体的な情報を含み、
前記身体的な情報は、起床から就床までの間の活動内容と、運動時間と、就床時刻と、起床時刻と、睡眠時間とのうちの少なくとも１つを含む、
請求項５に記載の睡眠改善システム。
【請求項７】
前記第一生活情報は、前記養育者及び前記被養育者の前記心理的な情報を含み、
前記心理的な情報は、就床時及び起床時の少なくとも一方における前記被養育者の機嫌と、前記養育者の前記被養育者に対する感情とのうちの少なくとも一方を含む、
請求項５又は６に記載の睡眠改善システム。
【請求項８】
前記サーバ装置の前記送信部は、睡眠について理解を深めるための動画コンテンツを前記第一端末装置に送信し、
前記第一端末装置の前記表示部は、前記動画コンテンツを表示する、
請求項１〜７のいずれか１項に記載の睡眠改善システム。
【請求項９】
サーバ装置と通信可能に接続され、養育者に養育される被養育者の睡眠を改善するための端末装置であって、
前記養育者及び前記被養育者の両方の第一生活情報の入力を受ける入力部と、
前記第一生活情報を前記サーバ装置に送信する送信部と、
前記サーバ装置から、前記第一生活情報に基づく、前記被養育者の睡眠を改善するための選択可能な二以上の改善項目を受信する受信部と、
前記選択可能な二以上の改善項目を表示する表示部と、を備える、
端末装置。
【請求項１０】
養育者に養育される被養育者の睡眠を改善するための睡眠改善システムによる睡眠改善方法であって、
第一端末装置が、前記養育者及び前記被養育者の両方の第一生活情報の入力を受け、
前記第一端末装置が前記第一生活情報をサーバ装置に送信し、
前記サーバ装置が前記第一端末装置から前記第一生活情報を受信し、
前記サーバ装置が、受信された前記第一生活情報に基づいて、記憶部に記憶された睡眠を改善するための複数の改善項目の中から、前記被養育者の睡眠を改善するための選択可能な二以上の改善項目を選択し、
前記サーバ装置が、前記選択可能な二以上の改善項目を前記第一端末装置に送信し、
前記第一端末装置が、前記サーバ装置から、前記選択可能な二以上の改善項目を受信し、
前記第一端末装置が前記選択可能な二以上の改善項目を表示する、
睡眠改善方法。
【発明の詳細な説明】
【技術分野】
【０００１】
本発明は、被養育者の眠りを改善するために養育者をサポートする睡眠改善システム等に関する。
【背景技術】
【０００２】
子どもにとって「健康的な眠り」は、心身の成長発達、情緒安定、集中力及び学習機能の増大など、あらゆる面で最も重要な要素の１つである。また、幼児期の睡眠不足が、小児期の多動及び認知機能低下につながることが知られている。このように、子どもの眠りの問題は、子どもの健全な発達を阻害する。さらに、眠りに問題を持つ子どもの養育者のクオリティ・オブ・ライフ（ＱＯＬ）は低く、そのような養育者の子どもに対する虐待リスクも高いことが知られている。そこで、子どもの「健康的な眠り」を実現するために、小児睡眠に精通した専門家による、子どもの養育者へのサポートが求められている。
【０００３】
特許文献１には、睡眠の状態を管理する睡眠管理システムが開示されている。この睡眠管理システムでは、アラームの報知に応じて使用者が睡眠の状態を測定すると、測定結果に応じた睡眠指標を生成する。このように生成された使用者の睡眠指標と他の使用者の睡眠指標とは比較され、比較結果に応じた表示が行われる。
【０００４】
特許文献２には、ヘルスケア、慢性疾患予防、生活習慣改善のための健康情報処理装置が開示されている。ユーザの日常生活行動に関する情報を受け付ける受付部と、受付部により受け付けられたユーザの日常生活行動に関する情報に基づいて、ユーザに関する条件と提示タイミングに関する条件とに対応付けられた推奨情報のうち、ユーザに関する条件とタイミングに関する条件とを満たす推奨情報を、ユーザに提示する推奨情報として選択する選択部を備える。
【０００５】
特許文献３には、世話になる人間または動物の睡眠行動を改善するために、世話をする人によって用いられる睡眠管理方法およびシステムであって、睡眠の質に関連する１つ以上の客観的パラメータを監視し、携帯電話などの携帯型ユーザ双方向装置を介して、世話をする人に行動プログラムおよび／または行為についての１つ以上の提案を提供することが開示されている。
【先行技術文献】
【特許文献】
【０００６】
【特許文献１】特開２０１５−１２３１１６号公報
【特許文献２】特開２０１７−４０９８１号公報
【特許文献３】特開２０１１−１９９０９号公報
【発明の概要】
【発明が解決しようとする課題】
【０００７】
しかしながら、上記従来の技術では、被養育者の睡眠の状態を管理することはできるが、「健康的な眠り」を実現するために養育者をサポートすることは難しい。
【０００８】
そこで、本発明は、養育者をサポートして被養育者の睡眠を効果的に改善することができる睡眠改善システム等を提供する。
【課題を解決するための手段】
【０００９】
本発明の一態様に係る睡眠改善システムは、養育者に養育される被養育者の睡眠を改善する睡眠改善システムであって、第一端末装置と、前記第一端末装置と通信可能に接続されたサーバ装置と、を備え、前記第一端末装置は、前記養育者及び前記被養育者の両方の第一生活情報の入力を受ける入力部と、前記第一生活情報を前記サーバ装置に送信する送信部と、前記サーバ装置から、前記被養育者の睡眠を改善するための選択可能な二以上の改善項目を受信する受信部と、前記選択可能な二以上の改善項目を表示する表示部と、を備え、前記サーバ装置は、睡眠を改善するための複数の改善項目を記憶している記憶部と、前記第一端末装置から前記第一生活情報を受信する受信部と、受信された前記第一生活情報に基づいて、前記記憶部に記憶された前記複数の改善項目の中から前記選択可能な二以上の改善項目を選択する制御部と、前記選択可能な二以上の改善項目を前記第一端末装置に送信する送信部と、を備える。
【００１０】
なお、これらの包括的又は具体的な態様は、装置、方法、集積回路、コンピュータプログラム又はコンピュータ読み取り可能なＣＤ−ＲＯＭなどの記録媒体で実現されてもよく、装置、方法、集積回路、コンピュータプログラム及び記録媒体の任意な組み合わせで実現されてもよい。
【発明の効果】
【００１１】
本発明の一態様に係る睡眠改善システムは、養育者をサポートして被養育者の睡眠を効果的に改善することができる。
【図面の簡単な説明】
【００１２】
【図１】図１は、実施の形態に係る睡眠改善システムのネットワーク構成図である。
【図２】図２は、実施の形態に係る睡眠改善システムの機能構成を示すブロック図である。
【図３】図３は、実施の形態に係る睡眠改善システムのシーケンス図である。
【図４】図４は、実施の形態に係る端末装置におけるメイン画面の一例を示す図である。
【図５】図５は、実施の形態に係る第一端末装置に表示される生活情報入力画面の一例を示す図である。
【図６】図６は、実施の形態に係る第一端末装置に表示される生活情報入力画面の一例を示す図である。
【図７】図７は、実施の形態に係る第一端末装置に表示される動画コンテンツの一例を示す図である。
【図８】図８は、実施の形態に係る第二端末装置に表示される生活情報画面の一例を示す図である。
【図９】図９は、実施の形態に係る第二端末装置に表示される改善項目選択画面の一例を示す図である。
【図１０】図１０は、実施の形態に係る第一端末装置に表示される改善項目選択画面の一例を示す図である。
【図１１】図１１は、実施の形態に係る第一端末装置に表示されるメイン画面の一例を示す図である。
【発明を実施するための形態】
【００１３】
以下、実施の形態について、図面を参照しながら具体的に説明する。
【００１４】
なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、請求の範囲を限定する主旨ではない。また、以下の実施の形態における構成要素のうち、最上位概念を示す独立請求項に記載されていない構成要素については、任意の構成要素として説明される。また、各図は、必ずしも厳密に図示したものではない。各図において、実質的に同一の構成については同一の符号を付し、重複する説明は省略又は簡略化する。
【００１５】
（実施の形態）
［睡眠改善システムの構成］
まず、本実施の形態に係る睡眠改善システムのネットワーク構成について、図１を参照して具体的に説明する。図１は、実施の形態に係る睡眠改善システム１０００のネットワーク構成図である。
【００１６】
睡眠改善システム１０００は、養育者１１に養育される被養育者１２の睡眠を改善するためのシステムである。本実施の形態では、専門家１３が、睡眠改善システム１０００を介して養育者１１をサポートすることにより、被養育者１２の睡眠が改善される。
【００１７】
養育者１１とは、被養育者１２を養育する人であり、例えば親である。被養育者１２とは、養育者１１に養育される人であり、例えば子である。専門家１３とは、睡眠の専門家であり、例えば小児睡眠に精通した医師又は研究者等である。
【００１８】
図１に示すように、睡眠改善システム１０００は、サーバ装置１００と、第一端末装置２００と、第二端末装置３００と、活動量計４００と、を備える。
【００１９】
サーバ装置１００は、第一端末装置２００及び第二端末装置３００と通信可能であり、例えばインターネットを介して睡眠改善サービスを提供するコンピュータである。サーバ装置１００は、例えばアプリケーションサーバ及びデータベースサーバとして機能するクラウドサーバである。
【００２０】
第一端末装置２００は、インターネット接続可能なコンピュータであり、養育者１１により操作される。第一端末装置２００は、例えば、タブレットコンピュータ、スマートフォン、パーソナルコンピュータ等である。第一端末装置２００は、養育者１１に対するユーザインタフェースとして機能する。
【００２１】
第二端末装置３００は、インターネット接続可能なコンピュータであり、専門家１３により操作される。第二端末装置３００は、例えば、パーソナルコンピュータ、タブレットコンピュータ、スマートフォン等である。第二端末装置３００は、専門家１３に対するユーザインタフェースとして機能する。
【００２２】
活動量計４００は、被養育者１２の活動量を計測する。活動量計４００は、例えば動きセンサ（例えば加速度センサ又は角速度センサ等）を備え、被養育者１２の身体の所定部位に装着される。この場合、活動量計４００は、被養育者１２の身体の所定部位の動き量を活動量として計測する。所定部位は、例えば頭、胸、手首、足首等である。また、活動量計４００は、第一端末装置２００と通信可能であり、計測した活動量を第一端末装置２００に送信する。
【００２３】
［睡眠改善システムの機能構成］
次に、睡眠改善システムの機能構成について図２を参照して具体的に説明する。図２は、実施の形態に係る睡眠改善システム１０００の機能構成を示すブロック図である。
【００２４】
［第一端末装置の機能構成］
まず、第一端末装置２００の機能構成について説明する。第一端末装置２００は、入力部２１０と、送信部２２０と、受信部２３０と、表示部２４０と、制御部２５０と、を備える。
【００２５】
入力部２１０は、養育者１１及び被養育者１２の両方の生活情報の入力を受ける。入力部２１０は、例えばタッチパネル、マウス及びキーボード等により実現される。
【００２６】
生活情報とは、養育者１１及び被養育者１２の生活に関する情報であり、睡眠に関する情報でもある。具体的には、生活情報は、就床前、睡眠中、起床後又はそれらの任意の組合せにおける身体的及び／又は心理的な情報である。身体的な情報は、例えば、起床から就床までの間の活動内容、運動時間、就床時刻、起床時刻及び睡眠時間等である。心理的な情報は、例えば、就床時及び／又は起床時の被養育者１２の機嫌、及び養育者１１の被養育者１２に対する感情等である。
【００２７】
送信部２２０は、入力部２１０が受けた養育者１１及び被養育者１２の両方の生活情報と、活動量計４００から取得された養育者１１の活動量とを、サーバ装置１００に送信する。送信部２２０は、例えばネットワークアダプタ等により実現される。
【００２８】
受信部２３０は、サーバ装置１００から動画コンテンツを受信する。さらに、受信部２３０は、サーバ装置１００から、被養育者の睡眠を改善するための選択可能な二以上の改善項目を受信する。受信部２３０は、例えばネットワークアダプタ等により実現される。
【００２９】
動画コンテンツは、睡眠について理解を深めるための動画データである。つまり、動画コンテンツは、養育者１１の睡眠リテラシーを向上させるための動画データである。なお、動画コンテンツは、音声データを含んでもよい。
【００３０】
改善項目とは、被養育者の「健康的な眠り」を実現するために養育者１１及び／又は被養育者１２が改善すべき項目である。例えば、改善項目は、養育者１１及び／又は被養育者１２のどのような行動をどのように改善すべきかを示す。専門家１３によって選択された改善項目は、専門家１３の養育者１１に対する指導又はアドバイスと解釈できる。
【００３１】
選択可能とは、二以上の改善項目の中から少なくとも１つが選択され、実行されればよいことを意味する。つまり、被養育者１２の睡眠の改善のために、養育者１１は、二以上の改善項目のすべてを実行する必要はない。
【００３２】
表示部２４０は、サーバ装置１００から受信された動画コンテンツに基づく動画を表示する。さらに、表示部２４０は、サーバ装置１００から受信された選択可能な二以上の改善項目を表示する。表示部２４０は、例えば液晶ディスプレイ又は有機ＥＬディスプレイ等により実現される。なお、表示部２４０は、タッチスクリーンとして入力部２１０と一体で実現されてもよい。
【００３３】
制御部２５０は、送信部２２０、受信部２３０、入力部２１０及び表示部２４０の動作を制御する。制御部２５０は、例えばプロセッサ及び実行可能なソフトウェアプログラムが格納されたメモリにより実現される。メモリに格納されたソフトウェアプログラムが実行されたときに、プロセッサは、制御部２５０として機能する。また、制御部２５０は、専用の電子回路により実現されてもよい。
【００３４】
［サーバ装置の機能構成］
続いて、サーバ装置１００の機能構成について説明する。サーバ装置１００は、受信部１１０と、記憶部１２０と、制御部１３０と、送信部１４０と、を備える。
【００３５】
受信部１１０は、第一端末装置２００から養育者１１及び被養育者１２の両方の生活情報及び被養育者１２の活動量を受信する。また、受信部１１０は、さらに、第二端末装置３００から、養育者１１及び被養育者１２の両方の生活情報及び被養育者１２の活動量に基づいて複数の改善項目の中から選択された選択可能な二以上の改善項目を受信する。受信部１１０は、例えばネットワークアダプタにより実現される。
【００３６】
記憶部１２０は、複数の改善項目を記憶している。複数の改善項目とは、睡眠の改善のために予め定められた汎用的な改善項目である。また、記憶部１２０は、動画コンテンツを記憶している。記憶部１２０は、例えばハードディスクドライブ（ＨＤＤ）又は半導体メモリ等により実現される。
【００３７】
制御部１３０は、受信部１１０及び送信部１４０の動作を制御し、記憶部１２０からデータの読み出し及び記憶部１２０へのデータの書き込みを制御する。制御部１３０は、例えばプロセッサ及び実行可能なソフトウェアプログラムが格納されたメモリにより実現される。メモリに格納されたソフトウェアプログラムが実行されたときに、プロセッサは、制御部１３０として機能する。また、制御部１３０は、専用の電子回路により実現されてもよい。
【００３８】
具体的には、制御部１３０は、第一端末装置２００から受信された養育者１１及び被養育者１２の両方の生活情報及び被養育者１２の活動量を記憶部１２０に格納する。また、制御部１３０は、記憶部１２０から複数の改善項目を読み出し、送信部１４０を介して、読み出された複数の改善項目を第二端末装置３００に送信する。
【００３９】
さらに、制御部１３０は、養育者１１及び被養育者１２の両方の生活情報及び被養育者１２の活動量に基づいて、複数の改善項目の中から選択可能な二以上の改善項目を選択する。本実施の形態では、制御部１３０は、第二端末装置３００から受信した情報に基づいて選択可能な二以上の改善項目を選択する。
【００４０】
送信部１４０は、記憶部１２０に記憶された複数の改善項目を第二端末装置３００に送信する。また、送信部１４０は、記憶部１２０に記憶された動画コンテンツを第一端末装置２００に送信する。さらに、送信部１４０は、選択可能な二以上の改善項目を第一端末装置２００に送信する。送信部１４０は、例えばネットワークアダプタにより実現される。
【００４１】
［第二端末装置の機能構成］
次に、第二端末装置３００の機能構成について説明する。第二端末装置３００は、受信部３１０と、表示部３２０と、入力部３３０と、送信部３４０と、制御部３５０と、を備える。
【００４２】
受信部３１０は、サーバ装置１００から、養育者１１及び被養育者１２の両方の生活情報と、被養育者１２の活動量と、複数の改善項目と、を受信する。受信部３１０は、例えばネットワークアダプタにより実現される。
【００４３】
表示部３２０は、サーバ装置１００から受信された養育者１１及び被養育者１２の両方の生活情報と、被養育者１２の活動量と、複数の改善項目とを表示する。表示部３２０は、例えば液晶ディスプレイ又は有機ＥＬディスプレイ等により実現される。
【００４４】
入力部３３０は、表示された養育者１１及び被養育者１２の両方の生活情報及び被養育者１２の活動量に基づいて、表示された複数の改善項目の中から選択可能な二以上の改善項目を選択するための入力を受ける。例えば、入力部３３０は、専門家１３から、選択可能な二以上の改善項目を選択するための入力を受ける。入力部３３０は、例えばタッチパネル、マウス及びキーボード等により実現される。
【００４５】
送信部３４０は、選択可能な二以上の改善項目をサーバ装置１００に送信する。送信部３４０は、例えばネットワークアダプタにより実現される。
【００４６】
制御部３５０は、受信部３１０、表示部３２０、入力部３３０及び送信部３４０の動作を制御する。制御部３５０は、例えばプロセッサ及び実行可能なソフトウェアプログラムが格納されたメモリにより実現される。メモリに格納されたソフトウェアプログラムが実行されたときに、プロセッサは、制御部３５０として機能する。また、制御部３５０は、専用の電子回路により実現されてもよい。
【００４７】
［睡眠改善システムの動作］
次に、以上のように構成された睡眠改善システム１０００の各種動作について図３を参照して具体的に説明する。図３は、実施の形態に係る睡眠改善システム１０００のシーケンス図である。
【００４８】
第一端末装置２００の制御部２５０は、入力部２１０を介して、養育者１１から、第一の日から予め定められた日数分の第一生活情報であって養育者１１及び被養育者１２の両方の第一生活情報の入力を受ける（Ｓ１０２）。予め定められた日数としては、例えば８日を用いることができる。ここで、第一生活情報とは、第一の日から予め定められた日数分の生活情報である。例えば、予め定められた日数が８日である場合は、第一生活情報は、１日目（つまり第一の日）から８日目までの生活情報である。
【００４９】
さらに、制御部２５０は、活動量計４００から、第一の日から予め定められた日数分の被養育者１２の第一活動量を取得する（Ｓ１０３）。ここで、第一活動量とは、第一の日から予め定められた日数分の活動量である。例えば、予め定められた日数が８日である場合は、第一活動量は、１日目（つまり第一の日）から８日目までの活動量である。制御部２５０は、送信部２２０を介して、養育者１１及び被養育者１２の両方の第一生活情報及び被養育者１２の第一活動量をサーバ装置１００に送信する。
【００５０】
サーバ装置１００の制御部１３０は、受信部１１０を介して、第一端末装置２００から養育者１１及び被養育者１２の両方の第一生活情報及び被養育者１２の第一活動量を受信する。そして、制御部１３０は、受信した養育者１１及び被養育者１２の両方の第一生活情報及び被養育者１２の第一活動量を記憶部１２０に格納する（Ｓ１０４）。さらに、制御部１３０は、送信部１４０を介して、記憶部１２０に格納された養育者１１及び被養育者１２の両方の第一生活情報、被養育者１２の第一活動量及び複数の改善項目を第二端末装置３００に送信し、動画コンテンツを第一端末装置２００に送信する。
【００５１】
第一端末装置２００の制御部２５０は、サーバ装置１００から受信された動画コンテンツを再生して、表示部２４０に動画コンテンツを表示する（Ｓ１０６）。
【００５２】
第二端末装置３００の制御部３５０は、サーバ装置１００から受信された養育者１１及び被養育者１２の両方の第一生活情報、被養育者１２の第一活動量及び複数の改善項目を表示部３２０に表示する（Ｓ１０８）。制御部３５０は、専門家１３による入力部３３０への入力に基づいて、表示された複数の改善項目の中から選択可能な二以上の改善項目を選択する（Ｓ１１０）。そして、制御部３５０は、送信部３４０を介して、選択可能な二以上の改善項目をサーバ装置１００に送信する。
【００５３】
サーバ装置１００の制御部１３０は、サーバ装置１００から受信された選択可能な二以上の改善項目を記憶部１２０に格納する。さらに、制御部１３０は、サーバ装置１００から受信された選択可能な二以上の改善項目に基づいて、選択可能な二以上の改善項目を第一端末装置２００に送信する（Ｓ１１２）。
【００５４】
第一端末装置２００の制御部２５０は、サーバ装置１００から受信された選択可能な二以上の改善項目を表示部２４０に表示する（Ｓ１１３）。そして、制御部２５０は、養育者１１による入力部２１０への入力に基づいて、表示された選択可能な二以上の改善項目の中から、養育者１１が実行する予定の一以上の改善項目を選択する（Ｓ１１４）。ここで、制御部２５０は、送信部２２０を介して、選択された一以上の改善項目をサーバ装置１００に送信する。
【００５５】
第一端末装置２００の制御部２５０は、入力部２１０を介して、養育者１１から、第二の日から予め定められた日数分の第二生活情報であって、養育者１１及び被養育者１２の両方の第二生活情報の入力を受ける（Ｓ１２２）。第一の日から第二の日までの間の間隔の長さは、予め定められた長さである。予め定められた長さとしては、例えば１か月を用いることができる。ここで、第二生活情報とは、第二の日から予め定められた日数分の生活情報である。例えば、予め定められた日数が８日である場合は、第二生活情報は、１日目（つまり第二の日）から８日目までの生活情報である。
【００５６】
さらに、制御部２５０は、活動量計４００から、第二の日から予め定められた日数分の被養育者１２の第二活動量を取得する（Ｓ１２３）。ここで、第二活動量とは、第二の日から予め定められた日数分の活動量である。例えば、予め定められた日数が８日である場合は、第二活動量は、１日目（つまり第二の日）から８日目までの活動量である。
【００５７】
以降は、養育者１１及び被養育者１２の両方の第二生活情報及び被養育者１２の第二活動量に基づいて、ステップＳ１０４〜ステップＳ１１４の処理が繰り返される。
【００５８】
［睡眠改善システムの動作の具体例］
次に、以上のような睡眠改善システム１０００の動作の具体例について図面を参照して説明する。まず、図４〜図６を参照して、養育者１１及び被養育者１２の両方の第一生活情報の入力（Ｓ１０２）について説明する。
【００５９】
図４は、第一端末装置２００に表示されるメイン画面２０の一例を示す図である。メイン画面２０には、２０１７年６月１日から２０１７年６月８日までの８日間分の第一生活情報の入力画面のいずれかを表示するための複数のプッシュボタン２１と、選択可能な二以上の改善項目を表示するためのプッシュボタン２２と、が配置されている。
【００６０】
ここで、養育者１１によって１日目の第一生活情報の入力画面を表示するためのプッシュボタンがタッチされれば、図５に示す生活情報入力画面が表示部２４０に表示される。
【００６１】
図５は、第一端末装置２００に表示される生活情報入力画面３０の一例を示す図である。ここでは、被養育者１２の第一生活情報が入力される。図５の生活情報入力画面３０には、被養育者１２の起床時刻を入力するためのテキストボックス３１と、被養育者１２の起床状況を入力するためのオプションボタン３２と、が配置されている。
【００６２】
ここでは、養育者１１は、テキストボックス３１に「７：００」と入力し、「一人で起きた」に対応するオプションボタンをタッチしている。そして、画面をスクロールするために養育者１１が画面を下方にスワイプすると、図６に示す生活情報入力画面が表示部２４０に表示される。
【００６３】
図６は、第一端末装置２００に表示される生活情報入力画面３０の一例を示す図である。ここでは、養育者１１の第一生活情報が入力される。生活情報入力画面３０には、養育者１１の睡眠に関する質問の回答を入力するためのプッシュボタン３３と、養育者１１の感情を入力するためのオプションボタン３４と、が配置されている。
【００６４】
図６では、養育者１１は、自身の眠りを邪魔するものがなかったことを示す「いいえ」のプッシュボタンをタッチし、今日の子育てが少し楽しいことを示す「まあ楽しい」に対応するオプションボタンをタッチしている。
【００６５】
このように、養育者１１及び被養育者１２の両方の第一生活情報が生活情報入力画面３０に入力され、サーバ装置１００に送信される。
【００６６】
次に、図７を参照して動画コンテンツの再生及び表示（Ｓ１０６）について説明する。図７は、実施の形態に係る第一端末装置２００に表示される動画コンテンツ４０の一例を示す図である。
【００６７】
動画コンテンツ４０は、養育者１１が睡眠についての理解を深めるための動画データである。動画コンテンツ４０では、架空のキャラクターであるアドバイザー医師「あおい」が睡眠について養育者１１を教育する。
【００６８】
次に、図８及び図９を参照して、第一生活情報等の表示（Ｓ１０８）及び専門家１３による二以上の改善項目の選択（Ｓ１１０）について説明する。
【００６９】
図８は、実施の形態に係る第二端末装置３００に表示される生活情報画面５０の一例を示す図である。生活情報画面５０には、被養育者１２である子と、養育者１１である親との第一生活情報が表示されている。統計情報５１は、複数日数分の第一生活情報の統計量を示す。図８では、統計情報５１は、親及び子の各々について、起床時刻、就床時刻及び睡眠時間の週平均、平日平均及び土日平均を示している。個別情報５２は、日毎の第一生活情報を示している。専門家１３は、この生活情報画面５０を確認してから、改善項目選択画面で二以上の改善項目を選択する。
【００７０】
図９は、実施の形態に係る第二端末装置３００に表示される改善項目選択画面６０の一例を示す図である。図９の改善項目選択画面６０では、複数の改善項目の中から二以上の改善項目を選択するためのチェックボックス６１が配置されている。専門家１３は、チェックボックス６１にチェックを入れることにより、生活情報画面５０で確認した生活情報に適した二以上の改善項目を選択する。そして、専門家１３は、送信ボタン６２をクリックすることにより、選択した二以上の改善項目をサーバ装置１００に送信する。
【００７１】
次に、図１０を参照して、養育者１１による一以上の改善項目の選択（Ｓ１１４）について説明する。図１０は、実施の形態に係る第一端末装置２００に表示される改善項目選択画面７０の一例を示す図である。この改善項目選択画面７０は、例えば図４のプッシュボタン２２をタッチすることにより表示される。
【００７２】
改善項目選択画面７０には、専門家１３によって複数の改善項目の中から選択された選択可能な二以上の改善項目７１が表示される。ここでは、養育者１１は、選択可能な二以上の改善項目７１の中から、実行する予定の一つの改善項目をオプションボタンにより選択する。その後、養育者１１は、送信ボタン７２をタッチすることにより、選択した改善項目をサーバ装置１００に送信する。
【００７３】
次に、図１１を参照して、第二生活情報の入力（Ｓ１２２）について説明する。図１１は、実施の形態に係る第一端末装置２００に表示されるメイン画面８０の一例を示す図である。
【００７４】
メイン画面８０は、図４のメイン画面２０の約１か月後の画面である。メイン画面８０には、２０１７年７月１日から２０１７年７月８日までの８日間分の第二生活情報の入力画面のいずれかを表示するための複数のプッシュボタン８１と、選択可能な二以上の改善項目を表示するためのプッシュボタン８２と、が配置されている。
【００７５】
ここで、養育者１１は、これから入力する日のプッシュボタンをタッチすることにより、その日の生活情報入力画面を表示部２４０に表示することができる。
【００７６】
［効果等］
以上のように、本実施の形態に係る睡眠改善システム１０００は、養育者１１に養育される被養育者１２の睡眠を改善する睡眠改善システム１０００であって、第一端末装置２００と、第一端末装置２００と通信可能に接続されたサーバ装置１００と、を備える。第一端末装置２００は、養育者１１及び被養育者１２の両方の第一生活情報の入力を受ける入力部２１０と、第一生活情報をサーバ装置に送信する送信部２２０と、サーバ装置１００から、被養育者１２の睡眠を改善するための選択可能な二以上の改善項目を受信する受信部２３０と、選択可能な二以上の改善項目を表示する表示部２４０と、を備える。サーバ装置１００は、睡眠を改善するための複数の改善項目を記憶している記憶部１２０と、第一端末装置２００から第一生活情報を受信する受信部１１０と、受信された第一生活情報に基づいて、記憶部１２０に記憶された複数の改善項目の中から選択可能な二以上の改善項目を選択する制御部１３０と、選択可能な二以上の改善項目を第一端末装置２００に送信する送信部１４０と、を備える。
【００７７】
これにより、睡眠改善システム１０００は、選択可能な二以上の改善項目を第一端末装置２００に表示することができる。したがって、養育者１１は選択可能な二以上の改善項目の中から実行する改善項目を選択することができ、養育者１１の改善項目の実行に対する負担を軽減することができる。また、睡眠改善システム１０００は、養育者１１及び被養育者１２の両方の第一生活情報に基づいて、複数の改善項目の中から選択可能な二以上の改善項目を選択することができる。被養育者１２の睡眠には、被養育者１２の生活習慣だけではなく、養育者１１の生活習慣も影響している。したがって、養育者１１及び被養育者１２の両方の第一生活情報に基づいて選択可能な二以上の改善項目を選択することで、養育者１１及び被養育者１２に適した改善項目を選択することができ、被養育者１２の睡眠を効果的に改善することができる。
【００７８】
また、本実施の形態に係る睡眠改善システム１０００は、さらに、サーバ装置１００と通信可能に接続された第二端末装置３００を備える。サーバ装置１００の送信部１４０は、さらに、第一生活情報及び複数の改善項目を第二端末装置３００に送信する。第二端末装置３００は、サーバ装置１００から、第一生活情報及び複数の改善項目を受信する受信部３１０と、受信された第一生活情報及び複数の改善項目を表示する表示部３２０と、表示された第一生活情報に基づいて、表示された複数の改善項目の中から選択可能な二以上の改善項目の選択の入力を受ける入力部３３０と、選択可能な二以上の改善項目をサーバ装置１００に送信する送信部３４０と、を備える。サーバ装置１００の受信部１１０は、第二端末装置３００から選択可能な二以上の改善項目を受信する。サーバ装置１００の制御部１３０は、受信された選択可能な二以上の改善項目に基づいて、選択可能な二以上の改善項目を選択する。
【００７９】
これにより、サーバ装置１００に通信可能に接続された第二端末装置３００は、表示された第一生活情報に基づいて、複数の改善項目の中から選択可能な二以上の改善項目の選択の入力を受けることができる。したがって、専門家１３は、表示部３２０に表示された第一生活情報を確認してから、養育者１１及び被養育者１２に適した二以上の改善項目を選択することができる。
【００８０】
また、本実施の形態に係る睡眠改善システム１０００において、第一端末装置２００は、さらに、養育者１１による入力部２１０への入力に基づいて、表示された選択可能な二以上の改善項目の中から、養育者１１が実行する予定の一以上の改善項目を選択する制御部２５０を備える。
【００８１】
これにより、睡眠改善システム１０００は、実行予定の改善項目を管理することが可能となり、専門家１３による養育者１１へのサポートあるいは睡眠改善効果の検証等に活用することもできる。
【００８２】
また、本実施の形態に係る睡眠改善システム１０００において、第一生活情報は、第一の日から予め定められた日数分の情報であり、第一端末装置２００の入力部２１０は、さらに、第二の日から予め定められた日数分の第二生活情報の入力を受け、第一端末装置２００の送信部２２０は、第二生活情報をサーバ装置１００に送信し、第一の日から第二の日までの間隔の長さは、予め定められた長さである。
【００８３】
これにより、予め定められた日数分の生活情報を予め定められた間隔をあけてから再び受けることができる。したがって、継続的に被養育者１２の睡眠の改善を図ることができる。
【００８４】
また、本実施の形態に係る睡眠改善システム１０００において、第一生活情報は、養育者１１及び被養育者１２の身体的な情報及び心理的な情報の少なくとも一方を含む。身体的な情報は、起床から就床までの間の活動内容と、運動時間と、就床時刻と、起床時刻と、睡眠時間とのうちの少なくとも１つを含む。心理的な情報は、就床時及び起床時の少なくとも一方における被養育者１２の機嫌と、養育者１１の被養育者１２に対する感情とのうちの少なくとも一方を含む。
【００８５】
これにより、被養育者１２の睡眠に大きく関係する情報を生活情報として採用することができ、被養育者１２の睡眠をより効果的に改善することができる。
【００８６】
また、本実施の形態に係る睡眠改善システム１０００において、サーバ装置１００の送信部１４０は、睡眠について理解を深めるための動画コンテンツを第一端末装置２００に送信し、第一端末装置２００の表示部２４０は、動画コンテンツを表示する。
【００８７】
これにより、養育者１１は、動画コンテンツを視聴することができ、睡眠についての理解を深めることができる。したがって、被養育者１２の睡眠の改善に対する養育者１１のモチベーションを向上させることができる。その結果、選択された改善項目が達成される可能性を増加させることができ、被養育者１２の睡眠を効果的に改善することができる。
【００８８】
（他の実施の形態）
以上、本発明の１つまたは複数の態様に係る睡眠改善システムについて、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の１つまたは複数の態様の範囲内に含まれてもよい。
【００８９】
例えば、上記実施の形態において、睡眠改善システム１０００は、活動量計４００を備えていたが、必ずしも活動量計４００を備えなくてもよい。この場合、専門家１３は、被養育者１２の生活情報に基づいて、選択可能な二以上の改善項目を選択すればよい。
【００９０】
なお、上記実施の形態では、活動量は、選択可能な二以上の改善項目の選択に利用されていたが、これだけに限られない。例えば、活動量は、被養育者１２の睡眠の質の評価に利用されてもよい。また、活動量は、生活情報の信頼性の評価に利用されてもよい。
【００９１】
なお、上記実施の形態では、専門家１３は、選択可能な二以上の改善項目の選択のみを行っていたが、これに限られない。例えば、選択可能な二以上の改善項目のいずれかに変数が含まれる場合は、専門家１３は、その変数を入力してもよい。具体的には、改善項目が「Ｘ時までに就床する」である場合には、専門家１３は、変数Ｘの数値を入力してもよい。
【００９２】
なお、上記実施の形態では、専門家１３から選択可能な二以上の改善項目の選択入力を受けていたが、これに限られない。例えば、専門家１３の代わりに人工知能が選択可能な二以上の改善項目を選択してもよい。この場合、睡眠改善システム１０００は、第二端末装置３００を備えなくてもよい。また、サーバ装置１００は、ニューラルネットワークあるいはディープラーニング等を用いた学習モデルを用いて、複数の改善項目の中から選択可能な二以上の改善項目を選択してもよい。
【００９３】
なお、上記実施の形態では、１か月ごとに８日分の生活情報が入力される場合を例に説明したが、間隔及び日数はこれに限られない。間隔の長さは、１か月よりも短くても長くてもよい。また、日数は、８日よりも少なくても多くてもよい。例えば週末の生活情報の数を増やすために日数として１４日が用いられてもよい。
【００９４】
なお、上記実施の形態では、サーバ装置１００から第一端末装置２００に動画コンテンツが送信されていたが、動画コンテンツは送信されなくてもよい。この場合であっても、養育者１１及び被養育者１２の両方の第一生活情報に基づいて、複数の改善項目の中から選択可能な二以上の改善項目を選択することができ、選択可能な二以上の改善項目を表示することができる。したがって、養育者１１をサポートして被養育者１２の睡眠を効果的に改善することができる。
【００９５】
なお、上記実施の形態における生活情報は例示であり、これに限定されない。生活情報としては、被養育者１２の睡眠に関連することであれば、どのような情報が用いられてもよい。
【００９６】
なお、上記実施の形態では、専門家１３から養育者１１に、選択可能な二以上の改善項目が提示されていたが、専門家１３から養育者１１に提示される情報はこれに限られない。例えば、専門家１３から養育者１１にメッセージが提示されてもよい。この場合、例えば第二端末装置３００の入力部３３０は、専門家１３からメッセージの入力を受けてもよい。このとき、メッセージを表すテキスト情報は、選択可能な二以上の改善項目とともに、サーバ装置１００を介して、第二端末装置３００から第一端末装置２００に送信され、第一端末装置２００の表示部２４０に表示さればよい。
【００９７】
なお、上記実施の形態では、生活情報の入力等に対する報酬はなかったが、生活情報が入力された場合あるいは動画コンテンツが視聴された場合などに、ポイントが報酬として養育者１１に付与されてもよい。このポイントは、例えば、睡眠改善システム１０００内の利用されるアバターの成長のために利用される。また例えば、ポイントは、他のポイントシステムで利用されてもよい。
【００９８】
なお、上記実施の形態では、動画コンテンツは、入力された生活情報に依存しない汎用的な動画コンテンツであったが、これに限られない。例えば、動画コンテンツは、生活情報に対応する動画コンテンツであってもよい。
【産業上の利用可能性】
【００９９】
本発明の一態様に係る睡眠改善システムは、子どもの睡眠の改善をインターネット経由で実現するネットワークコンピューティングに適用することができる。
【符号の説明】
【０１００】
１１  養育者
１２  被養育者
１３  専門家
１００  サーバ装置
１１０、２３０、３１０  受信部
１２０  記憶部
１３０、２５０、３５０  制御部
１４０、２２０、３４０  送信部
２００  第一端末装置
２１０、３３０  入力部
２４０、３２０  表示部
３００  第二端末装置
４００  活動量計
１０００  睡眠改善システム
【図１】
2019079082.tif 000003
【図２】
2019079082.tif 000004
【図３】
2019079082.tif 000005
【図４】
2019079082.tif 000006
【図５】
2019079082.tif 000007
【図６】
2019079082.tif 000008
【図７】
2019079082.tif 000009
【図８】
2019079082.tif 000010
【図９】
2019079082.tif 000011
【図１０】
2019079082.tif 000012
【図１１】
2019079082.tif 000013